(57)【要約】【課題】複写装置における薄紙原稿の裏写り現象を防止する。【解決手段】薄紙原稿のうしろに黒圧板等の低反射率のものを置くことにより裏写り成分のコントラストを下げるのと同時に、画像信号を補正をすることでカブリ等を生じることなく複写を行なう。【選択図】　　　　図１
2004120200.tif 000002
【特許請求の範囲】
【請求項１】
ＣＣＤ等のセンサーを用いて原稿の画像をデジタル信号として読み取り複写する複写装置のおいて、原稿を押える圧板として黒圧板（反射率の低い）を設けると同時に原稿の厚さに応じて、上記ＣＣＤ等のセンサーで得られるデジタル信号を補正する手段を設けたことを特徴とする複写装置。
【請求項２】
請求項１の複写装置において、デジタル信号を補正する手段としてＣＣＤ等のセンサーで得られた画像のデジタル信号にそのデジタル信号の自乗の項を加算したことを特徴とする複写装置。
【請求項３】
請求項１の複写装置において、デジタル信号を補正する手段としてＣＣＤ等のセンサーで得られた画像のデジタル信号を原稿の厚さに応じた補正テーブルにより補正したこと特徴とする複写装置。
【請求項４】
請求項１の複写装置において、黒圧板のかわりに原稿のうしろに低反射率（黒）のものが配置された時に応じて、原稿の厚さに対応したデジタル画像信号を補正する手段を設けたことを特徴とする複写装置。
【発明の詳細な説明】
【０００１】
【発明の属する技術分野】
本発明は原稿の画像情報をデジタル信号として読み取り、かつ書き込む原稿複写装置に関するものである。
【０００２】
【従来の技術】
従来、ＣＣＤ等を使用して原稿の画像情報を読み取り、原稿の複写を行なう装置は図５のように構成されており、その画像情報は図６のように画像処理され、プリンターにより書き込まれ、原稿の複写が行なわれていた。
【０００３】
【発明が解決しようとする課題】
しかしながら上記従来例では通常の原稿についてはよいが、薄紙の原稿については薄紙のうしろに書かれた画像情報まで複写されてしまう、裏写りという問題があった。
【０００４】
【課題を解決するための手段】
本発明では、前記、薄紙原稿の裏写りという現象を解決するため、薄紙原稿のうしろに低反射率（黒）い圧板等を置き、かつそれに対応させて画像信号を補正することにより薄紙原稿の裏写りという現象を防止する。
【０００５】
【発明の実施の形態】
図１は本発明の実施形態であるが、ここでまず薄紙の裏写り現象について説明をする。
【０００６】
紙に印刷が両面にされ原稿照明光により照明された原稿の反射光（ＣＣＤ出力に比例）についてのモデルを図３に示す。
【０００７】
ここで、表面印刷の反射率をＲ１、紙の内部からの反射率をＲｐ、透過率をＴｐ、裏面印刷の反射率をＲ２、原稿圧板の反射率をＲｃとし、単純化した場合、原稿からの反射光（ＣＣＤ出力Ｓ）は以下のように表わせる。α、β、γは係数
信号Ｓ∝Ｒ１＋α（Ｒ１・Ｒｐ・Ｒ１）＋β（Ｒ１・Ｔｐ・Ｒ２・Ｔｐ・Ｒ１）＋γ（Ｒ１・Ｔｐ・Ｒ２・Ｒｃ・Ｒ２・Ｔｐ・Ｒ１）
Ｒ：表面印刷分　Ａ：紙からの反射分　Ｂ：裏写り成分　Ｃ：圧板にあたって戻ってくる成分
Ｓ∝Ｒ１＋α・Ｒｐ・Ｒ１２＋β・Ｒ２・Ｔｐ２・Ｒ１２＋γ・Ｒｃ・Ｒ２２・Ｔｐ２・Ｒ１２・・・・（１）
ここで、通常の紙が厚い時（ＲｐをＲｐｘで表わす）
Ｔｐ→０となってゆくので
Ｓ∝Ｒ１＋α・Ｒｐｘ・Ｒ１２・・・・（２）
と近似される。また、この通常の紙の時をベースに複写装置の画像処理、γテーブル等が作成されている。
【０００８】
次に原稿が薄紙の時は（ＲｐをＲＰＹ、ＴｐをＴｐｙで表わす）。
Ｔｐｙが大きくなるので
Ｓ∝Ｒ１＋α・ＲｐｒＲ１２＋β・Ｒ２・ＴＰＹ２・Ｒ１２＋γ・Ｒｃ・Ｒ２２・Ｔｐ２・Ｒ１２
となっているが、ここで裏面の印刷が濃い時Ｒ２は小さくなるので
Ｓ∝Ｒ１＋α・ＲＰＹ・Ｒ１２＋β・Ｒ２・ＴＰＹ２・Ｒ１２・・・・（３）
と近似され、特に裏面の印刷が黒の時Ｒ２→０となるので
Ｓ∝Ｒ１＋α・ＲＰＹ・Ｒ１２・・・・（４）
と表わされる。一方裏面の印刷がない時または薄い時はＲ２→１となるので（通常、圧板は白なのでＲｃは大きい。）
Ｓ∝Ｒ１＋α・ＲＰＹ・Ｒ１２＋γ・Ｒｃ・ＴＰＹ２・Ｒ１２・・・・（５）
と表わされ、この（４）式と（５）式のコントラスト差により、薄紙の裏面に印刷がある場合裏写り現象が生じる。
【０００９】
この裏写り現象を解決するため、本発明では、まず圧板を黒くする。圧板を黒くすることにより（５）式においてＲｃ→０となるので
Ｓ∝Ｒ１＋α・ＲＰＹ・Ｒ１２・・・・（６）
となり、（４）式と（６）式を比較してわかるようにコントラスト差がなくなっている。つまり圧板を黒くすることにより裏写り現象が防止されたことになる。しかしながら（６）式と（２）式を比べると
Ｓ∝Ｒ１＋α・ＲＰｘ・Ｒ１２・・・・（２）
Ｓ∝Ｒ１＋α・ＲＰＹ・Ｒ１２・・・・（６）
となっているが、薄紙が原稿のためＲＰＹ＜ＲＰｘとなっており、圧板を黒くした場合、反射光量（ＣＣＤ出力Ｓ）が小さくなり、特にＲ１が大きい時つまりハイライト部でその光量差（ＣＣＤ出力差）が大きいのがわかる。
【００１０】
そのため、ハイライト部が薄紙の時、暗くなりカブリが生じてくるのがわかる。
【００１１】
そこで本発明では圧板をまず黒くすることにより、薄紙原稿時の裏面印刷と圧板からの光とのコントラストをなくすことを行なうのと同時に、画像信号の補正を行ないハイライト部の再現性を向上し、かつカブリをなくす。その実施形態が図１であり、シューディング補正の後に本発明の信号補正が入っている。
【００１２】
次にその信号補正について述べる。信号の補正方法としてはいくつか考えられるが以下にその例を示す。
【００１３】
（実施形態１）
いままで、述べてきたが薄紙の場合ＲＰＹは小さい、そこで得られたＣＣＤ出力Ｓの自乗の項をプラスすることが考えられる。つまり、（６）式において
Ｓ∝Ｒ１＋αＲＰＹ・Ｒ１２
となっているが、これにＳ２の項をプラスするろＸ：は係数Ｓ：は補正された信号
Ｓ１∝Ｒ１＋αＲＰＹ・Ｒ１２＋Ｘ・Ｓ２→Ｒ１＋αＲＰＹ・Ｒ１２＋Ｘ・（Ｒ１＋αＲＰＹ・Ｒ１２）２
Ｓ１∝Ｒ１＋αＲＰＹ・Ｒ１２＋Ｘ・（Ｒ１２＋２αＲＰＹ・Ｒ１３＋α２ＲＰＹ２・Ｒ１４）
Ｓ１∝Ｒ１＋（αＲＰＹ＋Ｘ）Ｒ１２＋Ｘ（２αＲＰＹ・Ｒ１３＋α２ＲＰＹ２・Ｒ１４）
となり、補正された信号ＳはＸを適当に選ぶことによりＲ１２の項を増やすことになり、ハイライトのカブリが防止できるのがわかる。
【００１４】
また、このような補正をしても、前記したように本発明で圧板を黒くしてあるので、裏面の印刷有無でのコントラスト差は微小になっているので裏写り現象が生じることはない。
【００１５】
（実施形態２）
また、前記したように（２）と（６）の差によりハイライト部でカブリが生じるが、その様子は例えば図２のＡのカーブのようになっているためだが、その補正の方法としては、図１の信号補正の部分に変換テーブルを作っておき、その変換テーブルによりＡのカーブをＢのカーブにすることが考えられる。
【００１６】
以上信号補正の方法について述べたが、それを実際に行なう方法としては、例えば前述したように、圧板を黒色にしておき、かつ操作部に薄紙の時に上記信号補正を選択できるキーを設けておきユーザーが選択できるようにしておくことが考えられる。また、薄紙の厚さにより、ユーザーが薄紙モードを選択した後、前記（実施形態１）の係数Ｘ（実施形態２）の補正テーブルを変化させ、適性な画像が得られるようにしておくこともできる。
【００１７】
また（他の実施形態）の仕方として、黒圧板を常時、複写装置の圧板として仕様するのではなく、通常は白圧板にしておき、薄紙原稿の時に例えば黒圧板シートを本体に設けておき使用することも考えられる。
【００１８】
また、黒圧板を複写装置に設けて置くのではなく、ユーザーが薄紙原稿の時に原稿のうしろに黒紙等の低反射率のものを置き、それと同時に本発明の信号補正を使用するようにすることもできる。また、この場合、薄紙でできた本等（雑誌等）についてもユーザーが黒紙等の低反射率のものを原稿のうしろにおくことで、対応でき、かつ次のページの画像が複写されるという現象も防止できる。
【００１９】
上記、黒紙等の低反射率のものは、複写装置にあらかじめ付属しておくようにすると便利である。
【００２０】
次に、薄紙のうしろに黒い圧板を置いた上で従来から複写装置が持っている濃度調製機能を使用した場合については以下のような問題があった。例えば通常の複写装置の濃度調整機能は、入力原稿の濃度に対して出力原稿の濃度を変化させるため図４のような濃度変換テーブルを設けておき、通常は図４のＦ５のような入力と出力の画像の濃度がリニアになるようにしておき、下地のカブリを飛ばしたりするために図４のＦ９のようなカーブを設けている。しかしながらＦ９のようなカーブを使用した場合
１）下地を飛ばすだけでなく濃い所も薄くなり、特に文字も細くなってしまう。→図４のＤの領域のため。
【００２１】
２）リニアいろカーブが立ってしまう、ノイズの影響を受けやすくなる。階調性の精度が劣化する。→図４の−が大きくなるため。
【００２２】
３）ダイナミックレンジがせまくなる。→図４のαのように。
のような問題がある。
【００２３】
それに対して本発明では薄紙のうしろに黒圧板が置かれた時の信号を例えば（実施形態１）、（実施形態２）のように補正しているので、図４のＦ５のカーブをそのまま使用することができ、前述の１）〜３）のような問題を起こさないで複写を行なうことができる。
【００２４】
【発明の効果】
以上説明したように、本発明によれば、薄紙原稿の裏写りを防止し、高精度の原稿複写を行なうことができる。
【図面の簡単な説明】
【図１】本発明の実施形態。
【図２】薄紙＋黒圧板の出力カーブと補正を示す。
【図３】両面印刷原稿の反射光量のモデル。
【図４】従来の複写装置の濃度変換テーブルの例。
【図５】複写装置の例。
【図６】従来の複写装置の画像信号の流れ。
【符号の説明】
１　原稿
２　原稿台ガラス
３　原稿照明光源
４　ミラー
５　スリット
６　レンズ
７　ＣＣＤ
８　ミラー
９　ドラム
【図１】
2004120200.tif 000003
【図２】
2004120200.tif 000004
【図３】
2004120200.tif 000005
【図４】
2004120200.tif 000006
【図５】
2004120200.tif 000007
【図６】
2004120200.tif 000008